(57)【要約】【課題】紙葉類処理装置の操作性を向上させること課題とする。【解決手段】紙葉類処理装置１は、紙葉類の投入及び排出の少なくとも一方が行われる開口１２１、１３１が前部に設けられた処理部１０と、前記紙葉類を収納する施錠可能な収納庫２０と、前記処理部１０又は前記収納庫２０に着脱可能で前記紙葉類を収納する着脱式収納部２、前記開口１２１、１３１及び前記収納庫２０の間における前記紙葉類の搬送を制御する制御部１８と、前記処理部１０の後方、又は、前記収納庫２０の後方外面に設けられ、前記着脱式収納部２が取り付けられる取付部４０と、を有する。【選択図】図１
2018156122.tif 000002
【特許請求の範囲】
【請求項１】
紙葉類の投入及び排出の少なくとも一方が行われる開口が前部に設けられた処理部と、
前記紙葉類を収納する施錠可能な収納庫と、
前記処理部又は前記収納庫に着脱可能で前記紙葉類を収納する着脱式収納部、及び前記収納庫の間における前記紙葉類の搬送を制御する制御部と、
前記処理部の後方、又は、前記収納庫の後方外面に設けられ、前記着脱式収納部が取り付けられる取付部と、を有する
紙葉類処理装置。
【請求項２】
前記着脱式収納部は、取付具を介して又は直接、前記取付部に取り付けられる、請求項１記載の紙葉類処理装置。
【請求項３】
前記収納庫は前方から開放可能な収納庫扉を有する、請求項１又は２記載の紙葉類処理装置。
【請求項４】
前記収納庫は後方から開放可能な収納庫扉を有する、請求項１乃至３のいずれかに記載の紙葉類処理装置。
【請求項５】
前記収納庫の後方、又は前記処理部の後方を覆うカバーを更に備え、
前記カバーは、前記着脱式収納部が前記取付部に取り付けられると閉めることができないように構成されている、請求項１乃至４のいずれかに記載の紙葉類処理装置。
【請求項６】
前記開口と前記収納庫との間で前記紙葉類を搬送するとともに、前記収納庫に対して水平方向に移動させることが可能な搬送部と、
前記搬送部が前記紙葉類を搬送している間に前記搬送部が前記収納庫に対して移動することを防ぐロック機構を更に備える、請求項１乃至５のいずれかに記載の紙葉類処理装置。
【請求項７】
前記ロック機構の解除操作に用いられる操作部を更に有し、
前記取付部に取り付けられた前記着脱式収納部によって覆われる位置に前記操作部が設けられている、請求項６記載の紙葉類処理装置。
【請求項８】
前記紙葉類がリジェクト対象であるか否かを識別する識別部を更に備え、
前記制御部は、前記開口から供給され、前記識別部によってリジェクト対象であると識別された第１のリジェクト紙葉類と、前記着脱式収納部から供給され、前記識別部によってリジェクト対象であると識別された第２のリジェクト紙葉類とを、互いに異なる搬送先に搬送するよう制御する、請求項１乃至７のいずれかに記載の紙葉類処理装置。
【請求項９】
前記第１のリジェクト紙葉類の搬送先は前記開口であり、
前記第２のリジェクト紙葉類の搬送先はリジェクト紙葉類専用収納部、多目的収納部、一時保留部又は紙葉類回収部である、請求項８記載の紙葉類処理装置。
【請求項１０】
前記着脱式収納部が２つの収納領域を備えている、請求項１乃至９のいずれかに記載の紙葉類処理装置。
【請求項１１】
２つの前記収納領域は、一方が装填用紙葉類の収納領域であり、他方が装填時に発生するリジェクト紙葉類の収納領域である、請求項１０記載の紙葉類処理装置。
【請求項１２】
２つの前記収納領域は、いずれも、複数の紙葉類が回転体に巻き取られた状態で収納される巻き取り式の収納領域である、請求項１０又は１１記載の紙葉類処理装置。
【請求項１３】
前記着脱式収納部に電力及び制御信号の少なくとも一方を供給する端子と、
前記端子を覆う端子カバーを更に備える、請求項１乃至１２のいずれかに記載の紙葉類処理装置。
【請求項１４】
前記端子は前記取付部に設けられている、請求項１３記載の紙葉類処理装置。
【請求項１５】
紙葉類の投入及び排出の少なくとも一方が行われる開口が前部に設けられた処理部と紙葉類を収納する施錠可能な収納庫を備える紙葉類処理装置の前記処理部の後方、又は、前記収納庫の後方外面に、着脱式収納部を取り付ける工程と、
前記収納庫と前記着脱式収納部との間で紙葉類を搬送する工程と、
を有する紙葉類処理方法。
【発明の詳細な説明】
【技術分野】
【０００１】
本発明は、投入された紙葉類を内部に収納する、又は、内部に収納された紙葉類を排出する紙葉類処理装置、及び紙葉類処理方法に関する。
【背景技術】
【０００２】
従来、紙幣等の紙葉類を真偽、正損、金種等の種類別に分類して収納する紙葉類処理装置が使用されている。紙葉類処理装置の中には、投入部と排出部が前方に設けられた処理部と、処理部の下に設けられた紙葉類を収納する金庫を有するものがある。
【０００３】
このような紙葉類処理装置の一つが特許文献１に開示されている。特許文献１に開示されている紙葉類処理装置は、金庫扉を覆うドアカバーを有し、金庫扉とドアカバーの間に紙葉類収納カセットが着脱自在に取り付けられる。
【０００４】
この紙葉類処理装置によれば、紙葉類処理装置の前方に設けられたドアカバーを開け、紙葉類収納カセットを紙葉類処理装置に取り付けることで、紙葉類処理装置内に収納されている紙葉類を紙葉類収納カセット内に回収することができる。
【先行技術文献】
【特許文献】
【０００５】
【特許文献１】米国特許第８７０８１２７号公報
【発明の概要】
【発明が解決しようとする課題】
【０００６】
特許文献１に開示される紙葉類処理装置を、銀行等の施設に設置する場合、当該施設のスタッフ又は顧客等の操作者によって、投入部又は排出部を通じた紙葉類の投入又は排出の操作が行われる。また、警備輸送業者等の作業者によって、紙葉類収納カセットを用いた紙葉類の回収操作が行われる。
【０００７】
特許文献１に開示される紙葉類処理装置においては、操作者に使用される投入部及び排出部の設置位置と、作業者が紙葉類収納カセットを取り付ける位置が、いずれも紙葉類処理装置の前方である。よって、例えば操作者が入金部から紙葉類を投入する操作を行っているときには、紙葉類処理装置の前に操作者がいるため、作業者は紙葉類収納カセットを紙葉類処理装置に取り付ける作業を行うことができない。仮に取り付けることが可能であったとしても、すぐ近くに操作者又は不特定多数の者がいる状態で金庫内から紙葉類収納カセット内に紙葉類を回収する作業を行うことは、不測の事態を招く恐れがあり好ましくない。
【０００８】
本発明は、このような状況に鑑みなされたもので、紙葉類処理装置の操作性を向上させること課題とする。
【課題を解決するための手段】
【０００９】
本発明に係る紙葉類処理装置は、紙葉類の投入及び排出の少なくとも一方が行われる開口が前部に設けられた処理部と、前記紙葉類を収納する施錠可能な収納庫と、前記処理部又は前記収納庫に着脱可能で前記紙葉類を収納する着脱式収納部、及び前記収納庫の間における前記紙葉類の搬送を制御する制御部と、前記処理部の後方、又は、前記収納庫の後方外面に設けられ、前記着脱式収納部が取り付けられる取付部と、を有する。
【００１０】
また、本発明に係る紙葉類処理方法は、紙葉類の投入及び排出の少なくとも一方が行われる開口が前部に設けられた処理部と紙葉類を収納する施錠可能な収納庫を備える紙葉類処理装置の前記処理部の後方、又は、前記収納庫の後方外面に、着脱式収納部を取り付ける工程と、前記収納庫と前記着脱式収納部との間で紙葉類を搬送する工程と、を有する。
【発明の効果】
【００１１】
本発明によれば、紙葉類処理装置の操作性を向上させることができる。
【図面の簡単な説明】
【００１２】
【図１】本発明の第１の実施形態に係る紙葉類処理装置の右側面模式図である。
【図２】着脱式収納部が取り付けられた本発明の第１の実施形態に係る紙葉類処理装置の右側面模式図である。
【図３】本発明の第２の実施形態に係る紙葉類処理装置の右側面模式図である。
【図４】本発明の第３の実施形態に係る紙葉類処理装置の右側面模式図である。
【図５】本発明の第４の実施形態に係る紙葉類処理装置の後方の右側面模式図である。
【図６】本発明の第４の実施形態に係る紙葉類処理装置の背面模式図である。
【図７】本発明の第５の実施形態に係る紙葉類処理装置の後方の右側面模式図である。
【図８】着脱式収納部の一例を示す模式図である。
【発明を実施するための形態】
【００１３】
以下、本発明について、図面を参照しながら詳細に説明する。なお、以下の説明において、紙葉類処理装置の「前」とは、紙葉類の投入及び排出の少なくとも一方の操作を処理部に設けられた開口を介して行う操作者側を意味し、紙葉類処理装置の「後」とは、その反対側を意味する。言い換えると、紙葉類処理装置の「前」とは、紙葉類の投入及び排出の少なくとも一方の操作を行うための開口が設けられた側を意味する。また、紙葉類処理装置の「左」とは、前記操作者から見て左側を意味し、紙葉類処理装置の「右」とは、前記操作者からみて右側を意味する。
【００１４】
また、「リジェクト紙幣」とは、所定の処理で処理対象とできない紙幣をいう。「リジェクト紙幣」には、例えば、偽札や、後述する識別部を斜行状態や重送状態で通過したために識別部によって正しく識別されなかった紙幣が含まれる。「正券」とは、汚れや破れ等が比較的少ない状態の紙幣をいい、「損券」とは、汚れや破れ等が比較的多い状態の紙幣をいう。
【００１５】
（１）第１の実施形態
（１−１）紙葉類処理装置の構成
図１に本発明の第１の実施形態に係る紙葉類処理装置としての紙幣処理装置１を示す。図１において、左側が紙幣処理装置１の前方、右側が同後方である。また、図１には、着脱式収納部２及び取付具３を併せて示す。
【００１６】
紙幣処理装置１は、紙葉類としての紙幣を入出金する紙幣入出金機である。紙幣処理装置１は、処理部１０及び処理部１０の下方に設けられた収納庫２０、収納庫２０の下に設けられた第２収納庫３０を備える。処理部１０は収納庫２０及び第２収納庫３０に対して前方に引き出し可能である。
【００１７】
処理部１０は上部筐体１１によって囲われている。上部筐体１１の前方、すなわち処理部１０の前方には、入金口（開口）１２１と出金口（開口）１３１が設けられている。上部筐体１１内、すなわち処理部１０内には、搬送部１５、識別部１６、一時保留部１７及び制御部１８が配置されている。
【００１８】
入金口１２１の近傍には所定の周期で紙幣を１枚ずつ搬送部１５に繰り出す紙幣繰り出し機構（図示略）が配置されている。入金口１２１と紙幣繰り出し機構によって入金部１２が構成されている。
【００１９】
出金口１３１の近傍には、紙幣を積み重ねる集積機構（図示略）が配置されている。出金口１３１と集積機構によって出金部１３が構成されている。必要に応じて、出金部１３と同様の構成を有する第２出金部１４を出金部１３の隣に設けてもよい。
【００２０】
なお、処理部１０の前方には、必要に応じて入金部１２と出金部１３のいずれか一方のみが設けられていてもよい。また、紙幣の入金及び出金の両方が行われる開口が設けられるとともに、この開口の周囲に紙幣繰り出し機構及び集積機構が配置されることによって、入出金部が設けられていてもよい。
【００２１】
搬送部１５は、紙幣を所定の搬送速度で搬送する。搬送部１５は、紙幣を搬送するベルト機構やローラ機構によって構成されている。搬送部１５は、紙幣を双方向に搬送可能とするループ状搬送路１５０と、このループ状搬送路１５０から分岐する第１分岐路１５１、第２分岐路１５２、第３分岐路１５３、第４分岐路１５４及び第５分岐路１５５を有している。第１分岐路１５１〜第５分岐路１５５は、それぞれ、ループ状搬送路１５０と入金部１２、出金部１３、一時保留部１７、収納庫２０及び第２収納庫３０、並びに、後述する着脱式収納部２とを接続する。
【００２２】
識別部１６は、画像センサ、光学センサ、磁気センサ等のセンサを備えており、搬送部１５で搬送される紙幣の真偽、金種、正損等を識別する。
【００２３】
一時保留部１７は、紙幣を一時的に収納する。一時保留部１７は、紙幣を１枚ずつ取り込んで収納し、収納している紙幣を１枚ずつ繰り出す。一時保留部１７は、例えば、複数の紙葉類が回転体に巻き取られた状態で収納される巻き取り式の収納部で構成することができる。また一時保留部１７は、複数の紙葉類が積層状態で収納される積層式の収納部で構成されていてもよい。
【００２４】
制御部１８は、少なくともＣＰＵとメモリを備えている。制御部１８は、搬送部１５を介して、入金部１２、出金部１３、一時保留部１７、収納庫２０、第２収納庫３０、及び後述する着脱式収納部２の間で紙幣が搬送されるように、紙幣処理装置１を構成する各部及び着脱式収納部２を制御する。
【００２５】
収納庫２０は例えば金庫で構成することができ、下部筐体２１を形成するとともに、その前方と後方の両方に、施錠可能な収納庫扉２２を有している。なお、本明細書において、「収納庫扉」は、下部筐体２１が有する開口部を閉鎖することができる部材を総称したものである。よって、「収納庫扉」には、例えば、下部筐体２１にヒンジを介して取り付けられた扉や、下部筐体２１に沿ってスライド移動可能な引き戸や、下部筐体２１に接離可能な板部材等が含まれる。
【００２６】
前方の収納庫扉２２は収納庫２０の前方から開放可能であり、後方の収納庫扉２２は収納庫２０の後方から開放可能である。収納庫扉２２が収納庫２０の前方に設けられることによって、紙幣処理装置１を前方から操作する者が収納庫２０の内部にアクセスすることが容易となる。また、収納庫扉２２が収納庫２０の後方に設けられることによって、後に説明する着脱式収納部２を使用して紙幣処理装置１を後方から操作する者が収納庫２０の内部にアクセスすることが容易となる。前方の収納庫扉２２を操作する者と後方の収納庫扉２２を操作する者が異なる場合は、それらの収納庫扉２２を解錠するための鍵又は解錠するために入力する情報を異なるものとしてもよい。必要に応じて、収納庫扉２２は収納庫２０の前方のみに設けられていてもよいし、後方のみに設けられていてもよい。
【００２７】
収納庫２０内には、前方から順に、多目的収納部２３が１つ、第１収納部２４が１つ、第２収納部２５が３つ配置されている。また、多目的収納部２３と、第１収納部２４の間に、鉛直搬送路２６が配置されている。
【００２８】
多目的収納部２３は、複数の紙葉類が積層状態で収納される積層式の収納領域Ｓを有している。多目的収納部２３は、様々な目的で使用することができる紙幣収納部であり、例えば、オーバーフロー紙幣、出金リジェクト紙幣、取忘紙幣、偽券、疑券の収納に用いられる。オーバーフロー紙幣とは、それを収納すべき収納部（第１収納部２４又は第２収納部２５）が満杯になったために当該収納部に収納できなくなった紙幣である。また、出金リジェクト紙幣とは、紙幣の出金処理が行われる際に第１収納部２４又は第２収納部２５から繰り出された紙幣のうち、斜行等の搬送異常により識別部１６で正常に識別することができなかった紙幣である。また、取忘紙幣とは、出金部１３に一旦出金された後、出金部１３から取り出されることなく所定時間が経過した紙幣である。
【００２９】
第１収納部２４は、上下に並ぶ２つの収納領域Ｓを有している。上側の収納領域Ｓは第４分岐路１５４と接続されており、下側の収納領域Ｓは鉛直搬送路２６が有する第６分岐路１５６に接続されている。これら２つの収納領域Ｓは、複数の紙葉類が積層状態で収納される積層式の収納領域、又は、複数の紙葉類が回転体に巻き取られた状態で収納される巻き取り式の収納領域である。これらの収納領域Ｓには、真偽、正損、金種等によって分類された紙幣のうちの特定の種類の紙幣が収納される。
【００３０】
第２収納部２５は、第４分岐路１５４に接続された１つの収納領域Ｓを有している。この収納領域Ｓは、複数の紙葉類が積層状態で収納される積層式の収納領域である。この収納領域Ｓには、真偽、正損、金種等によって分類された紙幣のうちの特定の種類の紙幣が収納される。
【００３１】
鉛直搬送路２６は、第４分岐路１５４と、第２収納庫３０内に配置された回収部３３とを接続する。
【００３２】
第２収納庫３０は例えば金庫で構成することができ、底部筐体３１を形成するとともに、その後方に、施錠可能な第２収納庫扉３２を有している。また、第２収納庫３０は、その内部に回収部３３を有する。回収部３３は収納領域Ｓを有し、この収納領域Ｓ内には、入金部１２から入金された紙幣や収納庫２０内に収納された紙幣のうち、回収すべき紙幣が収納される。回収すべき紙幣が内部に収納された後、回収作業者によって回収部３３内から紙幣が回収される。もしくは、回収すべき紙幣が内部に収納された後、回収部３３は回収作業者によって紙幣処理装置１から取り外され、紙幣とともに回収される。また、空の回収部３３が代わりに取り付けられる。
【００３３】
また、本実施形態に係る紙幣処理装置１は、紙幣処理装置１に着脱式収納部２を取り付けるための取付部４０を、収納庫２０の後方外面に有している。なお、収納庫２０の外面とは、施錠された収納庫扉２２を解錠することなくアクセスできる収納庫２０の外面であり、具体的には、下部筐体２１の外面又は収納庫扉２２の外面である。
【００３４】
取付部４０は、電力と制御部１８からの制御信号の少なくとも一方を着脱式収納部２に供給するための端子（図示略）及び当該端子を覆う端子カバー（図示略）を有している。取付部４０は収納庫２０の外にあるため汚損しやすい。しかしながら、端子カバーを設けることによって、端子が汚損することを防止することができる。また、着脱式収納部２は、取付部４０が有する端子に接続される端子（図示略）を有している。
【００３５】
取付部４０は、直接又は取付具３を介して取り付けられた着脱式収納部２内の収納領域Ｓと第５分岐路１５５とを接続することができ、端子を介して着脱式収納部２に電力と制御信号の少なくとも一方を供給することができれば、その形状や構造に制限はない。例えば、着脱式収納部２を下方から支える構造を有していてもよいし、着脱式収納部２を上下又は左右から挟持する構造を有していてもよい。
【００３６】
着脱式収納部２が取付具３を介して取付部４０に取り付けられる場合、取付部４０が有する端子と着脱式収納部２が有する端子は、直接接続されてもよいのは勿論、取付具３が有する２つの端子を介して間接的に接続されてもよい。
【００３７】
なお、端子カバーは、取付部４０への着脱式収納部２の着脱に応じて、着脱式収納部２の一部と連携して自動的に開閉する機構を有していることが好ましい。そのような開閉機構は種々公知のものがあるので、その中から任意のものを採用することができる。
【００３８】
また、本実施形態に係る紙幣処理装置１は、収納庫２０の後方を覆うカバー５０を備えている。カバー５０は、例えば、紙幣処理装置１の左側（紙幣処理装置１の後方から見た場合右側）に設けられたヒンジを介して、収納庫２０の後方外面に取り付けられている。カバー５０が閉じられているとき、取付部４０はカバー５０によって覆われている。
【００３９】
着脱式収納部２はその内部に収納領域Ｓを有している。この収納領域Ｓは、複数の紙葉類が積層状態で収納される積層式の収納領域、又は、複数の紙葉類が回転体に巻き取られた状態で収納される巻き取り式の収納領域である。着脱式収納部２は収納領域Ｓ内に紙幣を収納し、収納領域Ｓ外に紙幣を排出するためのモータ等からなる駆動機構（図示略）を有している。また、着脱式収納部２は駆動機構を有さない場合がある。このような場合は、紙幣処理装置１が駆動機構を備え、取り付けられた着脱式収納部２に駆動を伝達するようにしてもよい。
【００４０】
取付具３は、取付部４０に取り付けられた状態で着脱式収納部２を保持する器具である。その形状や構造には特に制限はない。例えば、不使用時には折りたたまれてカバー５０の内側に収納されていて、使用時には展開された状態で着脱式収納部２を保持する器具とすることができる。もちろん、着脱式収納部２を取り付ける度に、紙幣処理装置１に取り付けられ、着脱式収納部２を取り外す度に、紙幣処理装置１から取り外される器具であってもよい。
【００４１】
カバー５０を開き、着脱式収納部２を取付具３を介して取付部４０に取り付けたときの状態を図２に示す。なお、図２においては、便宜的にカバー５０は図示が省略されている。このとき、着脱式収納部２内の収納領域Ｓが第５分岐路１５５に接続され、着脱式収納部２が有する電動機構を紙幣処理装置１が作動させることができるようになっている。
【００４２】
本実施形態に係る紙幣処理装置１においては、取付部４０に着脱式収納部２が取り付けられた状態では、着脱式収納部２と干渉して閉めることができないようにカバー５０が構成されている。よって、着脱式収納部２が取付部４０に取り付けられている間、作業者は着脱式収納部２を常に目視することが可能である。したがって、取付部４０に着脱式収納部２を取り付けた作業者が、紙幣処理の終了後に、着脱式収納部２を取り外し忘れることを防止できる。
【００４３】
（１−２）着脱式収納部を用いない紙幣処理
続いて、紙幣処理装置１による紙幣処理について説明する。まずに、着脱式収納部２が取り付けられているか否かにかかわらず行うことができる処理について説明する。なお、これらの処理は、紙幣処理装置１が行うことができる処理の例に過ぎない。
【００４４】
（１−２−１）入金処理
入金処理とは、入金部１２から繰り出した紙幣を識別し、正常に識別された紙幣を紙幣処理装置１内に収納する処理である。
【００４５】
操作者が図示しない操作部を介して紙幣処理装置１に入金指令の指示を行うとともに、入金部１２に紙幣を投入すると、入金部１２に投入された紙幣は、第１分岐路１５１及びループ状搬送路１５０を経由して識別部１６に供給される。識別部１６は、その紙幣の識別や計数を行う。
【００４６】
搬送部１５は、正識別結果及び予め設定された収納割当に従って、紙幣を所定の第１収納部２４又は第２収納部２５に収納する。すなわち、各紙幣は、金種別や正損別に分けられて、収納庫２０内に収納される。
【００４７】
なお、第１収納部２４及び第２収納部２５に割り当てが設定されていない金種の紙幣や損券は多目的収納部２３又は回収部３３に収納される。また、オーバーフロー紙幣も、多目的収納部２３又は回収部３３に収納される。
【００４８】
一方、搬送部１５は、リジェクト紙幣を出金部１３に払い出す。なお、入金処理時に発生したリジェクト紙幣は、入金部１２に再度投入され、識別部１６による識別が、もう一度行われることになる。
【００４９】
なお、処理部１０に入出金部が設けられている場合、すなわち開口が１つのみの場合において、入金処理時にリジェクト紙幣が発生した場合は、リジェクト紙幣は一時保留部１７に一旦収納される。入出金部が空になった後、リジェクト紙幣は入出金部に戻される。
【００５０】
（１−２−２）出金処理
出金処理とは、紙幣処理装置１内に収納されている紙幣を払い出す処理である。
【００５１】
操作者が図示しない操作部を介して紙幣処理装置１に対して出金の指示を行うと、紙幣処理装置１は、指定された金種の紙幣を、指定された枚数、第１収納部２４又は第２収納部２５から繰り出す。搬送部１５は、繰り出された紙幣を識別部１６に搬送し、識別部１６はそれらの紙幣を識別する。その後、正常に識別された紙幣は出金部１３に払い出される。
【００５２】
出金処理時に発生するリジェクト紙幣は、一時保留部１７に搬送され、収納される。一時保留部１７に収納された紙幣は、必要に応じて、出金処理の終了後に、多目的収納部２３、第１収納部２４、第２収納部２５又は回収部３３に収納される。
【００５３】
（１−２−３）第１の補充処理
第１の補充処理とは、補充を目的として入金部１２に入金された紙幣を入金部１２から繰り出すとともに識別し、正常に識別された紙幣を紙幣処理装置１内に収納する処理である。第１の補充処理によれば、補充したい紙幣を入金部１２から紙幣処理装置１内に繰り出すことで、当該紙幣が収納される第１収納部２４又は第２収納部２５に補充することができる。基本的な紙幣処理の流れは前記入金処理と同様である。
【００５４】
（１−２−４）第１の回収処理
第１の回収処理とは、紙幣処理装置１内に収納されている回収すべき紙幣を出金部１３に払い出す処理である。第１の回収処理によれば、回収すべき紙幣を第１収納部２４又は第２収納部２５から紙幣処理装置１外に繰り出すことで、当該紙幣が収納される各収納部から紙幣を回収することができる。基本的な紙幣処理の流れは前記出金処理と同様である。 
【００５５】
（１−３）着脱式収納部を用いた紙幣処理
次に、着脱式収納部２が取り付けられた紙幣処理装置１によって行われる紙幣処理について説明する。なお、これらの処理は、紙幣処理装置１が行うことができる処理の例に過ぎない。
【００５６】
（１−３−１）第２の補充処理
第２の補充処理とは、着脱式収納部２から繰り出した紙幣を、収納庫２０内に配置された第１収納部２４又は第２収納部２５に収納する処理である。第２の補充処理によれば、補充したい紙幣を着脱式収納部２にまとめて収納しておき、当該紙幣が収納される第１収納部２４又は第２収納部２５に補充することができる。
【００５７】
紙幣処理装置１に着脱式収納部２を取り付けた後、紙幣処理装置１に着脱式収納部２を取り付けた操作者が紙幣処理装置１を操作することによって、第２の補充処理が開始される。なお、当該操作は、紙幣処理装置１の後方に設けられた図示しない操作部、又は、紙幣処理装置１と有線又は無線で接続された操作装置を介して行われる。
【００５８】
搬送部１５は、第５分岐路１５５を介して、着脱式収納部２から紙幣を受け取り、識別部１６に紙幣を搬送する。正常に識別された紙幣は、予め設定された収納割当に従って、第１収納部２４又は第２収納部２５に搬送され収納される。正常に識別されなかった紙幣、例えば損券や設定外金種と識別された紙幣は、多目的収納部２３又は回収部３３に搬送され収納される。
【００５９】
なお、壁に設けられた貫通孔内に途中まで挿入されるように紙幣処理装置１が設置されている場合等、紙幣処理装置１の前方と後方が隔離されている場合がある。このような場合において、入金処理時又は第１の補充処理時に発生したリジェクト紙幣（以下、「第１のリジェクト紙幣」。）と同様に、第２の補充処理時に発生したリジェクト紙幣（以下、「第２のリジェクト紙幣」。）を出金部１３から排出するようにすると、不測の事態によって第２のリジェクト紙幣が失われてしまう恐れがある。例えば、紙幣処理装置１の後方から前方に移動するのにある程度時間を要する場合、第２の補充処理をしていた操作者が紙幣処理装置１の前方に到着するまでの間に、出金部１３の周辺にいた悪意を有する者によって第２のリジェクト紙幣が盗難される恐れがある。
【００６０】
よって、第１のリジェクト紙幣と、第２のリジェクト紙幣とを、互いに異なる搬送先に搬送することが好ましい。具体的には、第１のリジェクト紙幣は、出金部１３に搬送され、第２のリジェクト紙幣は、多目的収納部２３、一時保留部１７又は回収部３３に搬送され収納される。このようにすれば、不測の事態によって第２のリジェクト紙幣が失われてしまうことが防止される。
【００６１】
また、図１、図２に破線で示されるように、紙幣処理装置１にリジェクト紙幣専用収納部１９を設け、これを第２のリジェクト紙幣の搬送先に割り当ててもよい。
【００６２】
（１−３−２）第２の回収処理
第２の回収処理とは、多目的収納部２３、第１収納部２４又は第２収納部２５に収納されている紙幣を、着脱式収納部２に搬送し、収納する処理である。
【００６３】
紙幣処理装置１に着脱式収納部２を取り付けた後、紙幣処理装置１に着脱式収納部２を取り付けた操作者が紙幣処理装置１を操作することによって、第２の回収処理が開始される。なお、当該操作は、紙幣処理装置１の後方に設けられた図示しない操作部、又は、紙幣処理装置１と有線又は無線で接続された操作装置を介して行われる。
【００６４】
第２の回収処理が開始されると、回収対象の紙幣を収納している多目的収納部２３、第１収納部２４又は第２収納部２５から、所定枚数の紙幣が搬送部１５に順次繰り出される。繰り出された紙幣は識別部１６に搬送され識別される。識別の結果、正常と判定された紙幣は着脱式収納部２に搬送され収納される。識別の結果、リジェクト紙幣と識別された紙幣は、一時保留部１７、回収部３３又はリジェクト紙幣専用収納部１９等に収納される。なお、繰り出される紙幣の枚数は、操作者が図示しない操作部等を介してマニュアル入力したり、予め定められた選択肢から選択したりすることで決定される。
【００６５】
なお、所定枚数の紙幣の回収以外に、各収納部内の全紙幣を回収することも可能である。全紙幣を回収する処理は収納部が空になりさえすればよい処理でもあるので、各収納部から繰り出された紙幣を識別部１６で識別しても識別しなくてもよい。また、識別部１６を経由せず、着脱式収納部２に直接搬送するようにしてもよい。
【００６６】
また、前述のとおり、出金処理時または第１の回収処理時に発生したリジェクト紙幣（以下、「第３のリジェクト紙幣」。）は、一時保留部１７に搬送され、収納される。同様に、第２の回収処理時に発生したリジェクト紙幣（以下、「第４のリジェクト紙幣」。）を一時保留部１７に搬送しようとすると、各収納部から識別部１６へ搬送される紙幣と、識別部１６で識別された後に一時保留部１７へ搬送される紙幣との搬送経路が重なってしまい、紙幣の搬送がストップしてしまう恐れがある。
【００６７】
よって、第３のリジェクト紙幣と、第４のリジェクト紙幣とを、互いに異なる搬送先に搬送され収納されることが好ましい。具体的には、第３のリジェクト紙幣は一時保留部１７に搬送され収納されるのに対し、第４のリジェクト紙幣はリジェクト紙幣専用収納部１９に搬送され収納される。このようにすれば、紙幣の搬送がストップしてしまうことが防止される。
【００６８】
（１−３−３）精査処理
精査処理とは、多目的収納部２３、第１収納部２４又は第２収納部２５内に収納されている紙幣の精査を行う処理である。
【００６９】
紙幣処理装置１に空の着脱式収納部２を取り付けた後、操作者が紙幣処理装置１を操作することによって、精査処理が開始される。なお、当該操作は、紙幣処理装置１の後方に設けられた図示しない操作部、又は、紙幣処理装置１と有線又は無線で接続された操作装置を介して行われる。
【００７０】
精査対象の多目的収納部２３、第１収納部２４又は第２収納部２５は、その中に収納している紙幣を一枚ずつ繰り出す。搬送部１５は、繰り出された紙幣を識別部１６に搬送する。識別部１６は紙幣の識別を行う。正常に識別された紙幣は、着脱式収納部２へと搬送され、そこに収納される。一方、リジェクト紙幣は、一時保留部１７、回収部３３、又はリジェクト紙幣専用収納部１９等へと搬送され、そこに収納される。
【００７１】
精査対象の多目的収納部２３、第１収納部２４又は第２収納部２５のいずれか１つの収納部に収納されている全ての紙幣の識別が完了すると、着脱式収納部２内に収納されている紙幣が一枚ずつ繰り出され、搬送部１５によって元の収納部、つまり、精査対象の収納部に搬送される。このときに、識別部１６において再度、識別が行われてもよい。再度識別された後に、正常に識別された紙幣は、元の収納部、つまり、精査対象の収納部に収納される。リジェクト紙幣は、一時保留部１７、回収部３３又はリジェクト紙幣専用収納部１９等に収納される。
【００７２】
また、リジェクト紙幣を一時保留部１７に収納する場合、一時保留部１７の位置に合わせて精査処理時の紙幣の識別タイミングを設定してもよい。具体的には、一時保留部１７が処理部１０の前方（図１の一時保留部１７の位置）にある場合は、着脱式収納部２から精査対象の収納部への搬送時に識別を行う。逆に、一時保留部１７が処理部後方（図１のリジェクト紙幣専用収納部１９の位置）にある場合は、精査対象の収納部から着脱式収納部２への搬送時に識別を行う。識別タイミングをこのように設定すれば、精査処理時にリジェクト紙幣が発生しても、精査処理中の紙幣の搬送路とリジェクト紙幣の搬送路とが重ならないので、紙幣搬送を止めることなくリジェクト紙幣を一時保留部１７に収納することができる。
【００７３】
（１−３−４）その他の処理
紙幣処理装置１の用途やユーザーニーズ等に応じて、一時保留部１７が設けられない場合がある。しかしながら、事後的に一時保留部１７が必要となることもあり、その場合、後から一時保留部１７を設けることは一般に困難である。
【００７４】
これに対し、本実施形態に係る紙幣処理装置１においては、一時保留部１７の機能を持たせることが可能な着脱式収納部２を容易に取り付けることができる。よって、着脱式収納部２をリジェクト紙幣を収納するための一時保留部１７の代わりとして紙幣処理装置１に取り付けることによって、上に説明した入金処理や出金処理を行うことができる。
【００７５】
以上説明した各種処理が行われるときには、着脱式収納部２に多額の現金が集まる可能性がある。よって、不特定多数の者が比較的容易にアクセス可能な紙幣処理装置１の前方側に着脱式収納部２を設けることは、セキュリティ上好ましくない。これに対し、本実施形態に係る紙幣処理装置１においては、紙幣処理装置１の後方側に着脱式収納部２が取り付けられる。よって、多額の現金が集まる可能性のある着脱式収納部２に特定多数の者がアクセスすることを比較的困難にすることができる。したがって、仮に、入金部１２や出金部１３を操作する操作者や不特定多数の者が紙幣処理装置１の前方側にいても、それらの者に妨害される恐れなく、着脱式収納部２を紙幣処理装置１の後方に取り付け、紙幣処理を行うことができる。
【００７６】
（２）第２の実施形態
図３に本発明の第２の実施形態に係る紙葉類処理装置としての紙幣処理装置１を示す。図３において、左側が紙幣処理装置１の前方、右側が同後方である。
【００７７】
本実施形態に係る紙幣処理装置１は、一時保留部１７を有していない点と、収納庫２０の前方に第２取付部４１が設けられている点が第１の実施形態に係る紙幣処理装置１と異なる。他の構成は同じであり、第２の実施形態に係る紙幣処理装置１は、第１の実施形態に係る紙幣処理装置１と同様の紙幣処理を行うことができる。なお、図３において、カバー５０は図示が省略されている。
【００７８】
第２取付部４１には、第２取付具５を介して第２着脱式収納部４を取り付けることができる。第２取付部４１は、取付部４０と同じ構成を有している。第２取付具５は取付具３と同じ構成を有している。第２着脱式収納部４は、着脱式収納部２と同じ構成を有している。
【００７９】
本実施形態において、第２着脱式収納部４は、入金処理時の入金用一時保留部として機能させることができる。
【００８０】
具体的には、第２着脱式収納部４は蓋を備えており、当該蓋を開けることで内部の紙幣を取り出すことが可能になっている。さらに当該蓋は、第２着脱式収納部４を第２取付部４１に取り付けたとしても、開放可能に構成されている。このようにすれば、入金処理がキャンセルされた場合に、操作者が第２着脱式収納部４から直接紙幣を取り出すことで、第２着脱式収納部４内に収納された紙幣を操作者に返却することができる。したがって、入金部１２や出金部１３と同様に紙幣処理装置１の前方側に第２着脱式収納部４を設ける方が都合がよい。
【００８１】
本実施形態に係る紙幣処理装置１によれば、一時保留部の機能が不要である場合は、第２着脱式収納部４を取り付けず、全体構成をコンパクトなものとすることができる。また、一時保留部の機能が必要となった際には、第２の着脱式収納部４を取り付けることで容易に対応することが可能である。
【００８２】
（３）第３の実施形態
図４に本発明の第３の実施形態に係る紙葉類処理装置としての紙幣処理装置１を示す。図４において、左側が紙幣処理装置１の前方、右側が同後方である。
【００８３】
本実施形態に係る紙幣処理装置１は、第２収納庫３０を有していない点で第１の実施形態に係る紙幣処理装置１と異なる。
【００８４】
また、本実施形態に係る紙幣処理装置１は、収納庫２０の内部構成が第１の実施形態に係る紙幣処理装置１と異なる。すなわち、本実施形態に係る紙幣処理装置１においては、収納庫２０内には８つの収納領域Ｓが設けられており、これらの収納領域Ｓはいずれも、複数の紙葉類が回転体に巻き取られた状態で収納される巻き取り式の収納領域である。また、収納庫２０内には、側面視Ｌ字形に屈曲して延在し、ループ状搬送路１５０と８つの収納領域Ｓとを接続する屈曲搬送路２７が設けられている。また、収納庫２０の前方側には回収部３３が配置されている。この回収部３３は１つの収納領域Ｓを有している。この収納領域Ｓは、複数の紙葉類が積層状態で収納される積層式の収納領域である。その機能は、第１の実施形態に係る紙幣処理装置１が有する回収部３３と同じである。
【００８５】
また、本実施形態に係る紙幣処理装置１は、取付部４０が処理部１０の内部後方に設けられている点が第１の実施形態に係る紙幣処理装置１と異なる。本実施形態においては、上部筐体１１には、開口が設けられているとともにこの開口を覆うカバー５０が設けられている。なお、取付部４０は、処理部１０の後方であれば、その外側のいずれかの面に設けられていてもよい。その場合も、取付部４０を覆うカバー５０を上部筐体１１に設けることができることは言うまでもない。
【００８６】
本実施形態に係る紙幣処理装置１のその他の構成は、第１の実施形態に係る紙幣処理装置１の構成と同じである。
【００８７】
以上のように構成される本実施形態に係る紙幣処理装置１においては、カバー５０を開くことで、取付部４０に着脱式収納部２を取り付けることが可能である。よって、本実施形態においても、第１の実施形態に係る紙幣処理装置１と同様の紙幣処理を行うことができ、第１の実施形態に係る紙幣処理装置１と同様の利点を得ることができる。なお、本実施形態に係る紙幣処理装置１においても、取付具を介して着脱式収納部２が取り付けられるように取付部４０が構成されていてもよい。
【００８８】
（４）第４の実施形態
図５及び図６に本発明の第４の実施形態に係る紙葉類処理装置としての紙幣処理装置１を示す。図５は紙幣処理装置１の後方の右側面模式図であり、左側が紙幣処理装置１の前方、右側が同後方である。また、図６は紙幣処理装置１の背面模式図である。
【００８９】
本実施形態に係る紙幣処理装置１は、図１に示される第１の実施形態に係る紙幣処理装置１とほぼ同様の構成を有しているが、第１の実施形態に係る紙幣処理装置１と比較して、主に以下の２点で相違する。
【００９０】
１つは、本実施形態に係る紙幣処理装置１において、取付部４０は着脱式収納部２を直接取り付けることができる構造を有しているという点である。よって、本実施形態に係る紙幣処理装置１においては、着脱式収納部２は、取付部４０に取付具なしで直接取り付けられる。
【００９１】
もう１つは、本実施形態に係る紙幣処理装置１は、ロック機構２８と、このロック機構２８の解除操作に用いられる操作部２９を有しているという点である。ロック機構２８は、ロック状態のとき、処理部１０が収納庫２０に対して前方に引き出されること、すなわち、搬送部１５が収納庫２０内の第２収納部２５等の各収納部に対して水平方向に移動することを防止する機構である。例えば、ロック機構２８は操作部２９と機械的に接続された錠であり、操作部２９はこの錠を操作するための鍵が差し込まれる鍵穴を有する鍵差込部である。あるいは、ロック機構２８は操作部２９と電子的に接続された電子錠であり、操作部２９はこの電子錠を解錠するためのパスワードや生体情報等の情報を入力するための入力部である。
【００９２】
よって、本実施形態に係る紙幣処理装置１によれば、ロック機構２８をロック状態とすることによって、紙幣の処理中に処理部１０と収納庫２０が相対移動することができない。したがって、例えば、紙幣処理装置１の後方で着脱式収納部２を用いて紙幣処理を行っている最中に、紙幣処理装置１の前方にいる者が誤って処理部１０を移動させてしまうことを未然に防止することができる。
【００９３】
また、操作部２９の設置位置は、取付部４０に着脱式収納部２を取り付けた際に、着脱式収納部２によって操作部２９が覆われる位置とすることが好ましい。このような位置としては、例えば、図５及び図６に示されるような、処理部１０の後方の下面や、後方の収納庫扉２２の外面中央が挙げられる。このような位置に操作部２９が位置していると、取付部４０に着脱式収納部２を取り付けている間は操作部２９を操作することができない。よって、着脱式収納部２を用いて紙幣の処理を行っている間に、操作部２９が操作されてロック機構２８のロック状態が解除されてしまうことを未然に防止できる。なお、図５及び図６には、操作部２９が２つずつ示されているが、紙幣処理装置１が有する操作部２９は１つでよいことは勿論である。
【００９４】
（５）第５の実施形態
図７に本発明の第５の実施形態に係る紙葉類処理装置としての紙幣処理装置１を示す。図７は紙幣処理装置１の後方の右側面模式図であり、左側が紙幣処理装置１の前方、右側が同後方である。
【００９５】
本実施形態に係る紙幣処理装置１は、図４に示される第３の実施形態に係る紙幣処理装置１とほぼ同様の構成を有しているが、第３の実施形態に係る紙幣処理装置１と比較して、主に以下の２点で相違する。
【００９６】
１つは、本実施形態に係る紙幣処理装置１における搬送部１５は、その後方に、着脱式収納部２内の収納領域Ｓに接続される第５分岐路１５５を２つ有しているという点である。もう１つは、取付部４０を紙幣処理装置１の後方外面に有しているという点である。
【００９７】
したがって、本実施形態に係る紙幣処理装置１は、図７に示されるような２つの収納領域Ｓを有する着脱式収納部２が取り付けられた状態で、紙幣の処理を行うことができる。
【００９８】
これら２つの収納領域Ｓそれぞれに異なる金種の紙幣を割り当てることによって、補充処理の際に、１度に２種類の紙幣の補充することができ、回収処理の際に、１度に２種類の紙幣を分別回収することができる。例えば、２つの収納領域Ｓのそれぞれに、通常の回収紙幣と、偽券又は疑券の回収紙幣とを分別回収することができる。
【００９９】
また、一方の収納領域Ｓに補充用紙幣を収納しておき、他方の収納領域Ｓに補充処理時に発生するリジェクト紙幣を収納してもよい。このようにすれば、補充処理時に発生するリジェクト紙幣（すなわち第２のリジェクト紙幣）を収納する領域が紙幣処理装置１内になくても、何ら支障なく着脱式収納部２から紙幣を補充することができる。しかもこの場合、一旦補充処理を開始した後は、作業者が紙幣処理装置１の周囲で待機しなくても、第２リジェクト紙幣の着脱式収納部２内への収納まで行うことができる。よって、作業者は補充処理開始後すぐに次の作業場所へ移動することができるので、作業効率を向上させることができる。更に、着脱式収納部２を紙幣処理装置１に取り付けたまま、次に着脱式収納部２を利用した紙幣処理を行うときまで、紙幣処理装置１の後方に戻らないことも可能である。それによってさらに作業効率を向上させることができる。その場合、着脱式収納部２を、施錠可能であり、紙幣処理装置１からの取り外し及び開放には鍵又は解錠情報を必要とするものとしておくことが好ましい。
【０１００】
なお、着脱式収納部２が有する２つの収納領域Ｓは、複数の紙葉類が積層状態で収納される積層式の収納領域、又は、複数の紙葉類が回転体に巻き取られた状態で収納される巻き取り式の収納領域である。例えば、図８に示されるように、２つの収納領域Ｓをいずれも巻き取り式の収納領域とすることで、２つの収納領域Ｓを有する着脱式収納部２をコンパクトに構成することができる。
【０１０１】
以上本発明の実施形態について説明したが、本発明は上記実施形態に限定されるものではなく、本発明の趣旨を逸脱しない範囲で種々の変更が可能である。例えば、ある実施形態の処理部１０と他の実施形態の収納庫２０を組み合わせることも勿論可能である。また、紙葉類処理装置は紙幣処理装置に限定されず、小切手や伝票などの紙や樹脂から作られたシート類を含む紙葉類を処理する装置であってもよい。
【産業上の利用可能性】
【０１０２】
本発明は、紙葉類を種類別に収納する紙葉類処理装置に用いることで、紙葉類処理装置の操作性を向上させることができるので、その産業上の利用可能性は多大である。
【符号の説明】
【０１０３】
１  紙幣処理装置
１０  処理部
１１  上部筐体
１２  入金部
１２１  入金口（開口）
１３  出金部
１３１  出金口（開口）
１４  第２出金部
１５  搬送部
１５０  ループ状搬送路
１５１  第１分岐路
１５２  第２分岐路
１５３  第３分岐路
１５４  第４分岐路
１５５  第５分岐路
１５６  第６分岐路
１６  識別部
１７  一時保留部
１８  制御部
１９  リジェクト紙幣専用収納部
２０  収納庫
２１  下部筐体
２２  収納庫扉
２３  多目的収納部
２４  第１収納部
２５  第２収納部
２６  鉛直搬送路
２７  屈曲搬送路
２８  ロック機構
２９  操作部
３０  第２収納庫
３１  底部筐体
３２  第２収納庫扉
３３  回収部
４０  取付部
４１  第２取付部
５０  カバー
２  着脱式収納部
３  取付具
４  第２着脱式収納部
５  第２取付具
Ｓ  収納領域
【図１】
2018156122.tif 000003
【図２】
2018156122.tif 000004
【図３】
2018156122.tif 000005
【図４】
2018156122.tif 000006
【図５】
2018156122.tif 000007
【図６】
2018156122.tif 000008
【図７】
2018156122.tif 000009
【図８】
2018156122.tif 000010